【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
補償値が命令に基づく、ＰＬＬ回路に補償値を供給するのに操作可能なロジックと、
前記補償値に応答するＰＬＬ回路中のロジックとを具備し、
前記ＰＬＬ回路中のロジックは、
値を保持し、かつ前記補償値を受け取る操作可能なカウンタと、
前記カウンタに結合され、出力が前記カウンタの値に基づく第１のチャージポンプとを含み
命令の影響のためにＰＬＬを補償するためのシステム。
【請求項２】
請求項１のシステムにおいて、前記補償値を供給するのに操作可能なロジックは、
命令を受けて、かつ命令に基づいたインクリメンタルな値を決定するのに操作可能なデコードロジックと、
インクリメンタルな値に基づいた補償値を出力するのに操作可能な加算器とを含む。
【請求項３】
請求項２のシステムにおいて、
前記デコードロジックは、持続時間及びデクリメンタルな値を決定するのに操作可能であり、
前記加算器は、デクリメンタルな値に基づいた非補償の値を出力するのに操作可能であり、
前記補償値を供給するのに操作可能なロジックは、持続時間の終わりに非補償の値を供給するのにさらに操作可能である。
【請求項４】
命令に基づいた補償値を決定することと、
ロジックが補償値に応答する、ＰＬＬ回路中のロジックに補償値を供給することと、
カウンタで補償値を受け取ることと、
補償値に基づいて前記カウンタの値を更新することと、
前記カウンタの値に基づいてカウンタに結合された第１のチャージポンプから電圧を生成することと
を具備する命令の影響のためにＰＬＬを補償する方法。
【請求項５】
命令を受け、かつ命令に基づいた、インクリメンタルな値、デクリメンタルな値、及び持続時間を決定するのに操作可能なデコードロジックと、
カウンタ中の第１の電流値を受け取り、かつ前記カウンタの第１の電流値とインクリメンタルな値に基づいた補償値を出力し、前記カウンタ中の第２の電流値を受け取り、持続時間の終わりに前記カウンタの第２の電流値とデクリメンタルな値に基づいた非補償の値を出力するのに操作可能な加算器と、
値を保持し、かつ補償値及び非補償の値を受け取るのに操作可能なカウンタと、
前記カウンタに結合され、その出力が前記カウンタの値に基づく第１のチャージポンプと
を具備する命令の影響のためにＰＬＬを補償するためのシステム。
【手続補正２】
【補正対象書類名】明細書
【補正対象項目名】００１４
【補正方法】変更
【補正の内容】
【００１４】
この発明の一態様に係るシステムは、命令の影響のためにＰＬＬを補償するもので、補償値が命令に基づく、ＰＬＬ回路に補償値を供給するのに操作可能なロジックと、前記補償値に応答するＰＬＬ回路中のロジックとを具備し、前記ＰＬＬ回路中のロジックは、値を保持し、かつ前記補償値を受け取る操作可能なカウンタと、前記カウンタに結合され、出力が前記カウンタの値に基づく第１のチャージポンプとを含む。
この発明の他の一態様に係る方法は、命令の影響のためにＰＬＬを補償するもので、命令に基づいた補償値を決定することと、ロジックが補償値に応答する、ＰＬＬ回路中のロジックに補償値を供給することと、カウンタで補償値を受け取ることと、補償値に基づいて前記カウンタの値を更新することと、前記カウンタの値に基づいてカウンタに結合された第１のチャージポンプから電圧を生成することとを具備する。
この発明の更に他の一態様に係るシステムは、命令の影響のためにＰＬＬを補償するもので、命令を受け、かつ命令に基づいた、インクリメンタルな値、デクリメンタルな値、及び持続時間を決定するのに操作可能なデコードロジックと、カウンタ中の第１の電流値を受け取り、かつ前記カウンタの第１の電流値とインクリメンタルな値に基づいた補償値を出力し、前記カウンタ中の第２の電流値を受け取り、持続時間の終わりに前記カウンタの第２の電流値とデクリメンタルな値に基づいた非補償の値を出力するのに操作可能な加算器と、値を保持し、かつ補償値及び非補償の値を受け取るのに操作可能なカウンタと、前記カウンタに結合され、その出力が前記カウンタの値に基づく第１のチャージポンプとを具備する。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００５１
【補正方法】変更
【補正の内容】
【００５１】
前述の明細書では、発明は特定の実施形態に関連して記述された。しかしながら、当業者は、特許請求の範囲で下に述べられるような発明の有効範囲から離れずに様々な変形及び変更を行なうことができることを認識する。従って、明細書と図は関係した限定的な意味やすべてのそのような変形ではなく、１つの実例となる発明の範囲内で含められるように意図される。
すなわち、本発明は、
（ａ）  補償値が命令に基づく、フェーズロックループ回路に補償値を供給するのに操作可能なロジックと、前記補償値に応答するフェーズロックループ回路中のロジックとを具備する命令の影響のためにフェーズロックループを補償するためのシステムである。
（ｂ）  上記（ａ）のシステムにおいて、前記フェーズロックループ回路中のロジックは、値を保持し、かつ前記補償値を受け取る操作可能なカウンタと、前記カウンタに結合され、出力が前記カウンタの値に基づく第１のチャージポンプとを含む。
（ｃ）  上記（ｂ）のシステムにおいて、前記第１のチャージポンプはディジタルチャージポンプである。
（ｄ）  上記（ｃ）のシステムにおいて、前記カウンタは位相周波数検出器の出力へ結合される。
（ｅ）  上記（ｄ）のシステムにおいて、前記フェーズロックループは、前記位相周波数検出器の出力に結合された第２のチャージポンプを含む。
（ｆ）  上記（ｃ）のシステムにおいて、前記補償値を供給するのに操作可能なロジックは、命令を受けて、かつ命令に基づいたインクリメンタルな値を決定するのに操作可能なデコードロジックと、インクリメンタルな値に基づいた補償値を出力するのに操作可能な加算器とを含む。
（ｇ）  上記（ｆ）のシステムにおいて、前記デコードロジックは、持続時間及びデクリメンタルな値を決定するのに操作可能であり、前記加算器は、デクリメンタルな値に基づいた非補償の値を出力するのに操作可能であり、前記補償値を供給するのに操作可能なロジックは、持続時間の終わりに非補償の値を供給するのにさらに操作可能である。
（ｈ）  上記（ｇ）のシステムにおいて、前記加算器はカウンタ中の第１の電流値を受け取り、カウンタの第１の電流値とインクリメンタルな値に基づいた補償値を出力し、カウンタ中の第２の電流値を受け取り、カウンタの第２の電流値とデクリメンタルな値に基づいた非補償の値を出力するのに操作可能である。
（ｉ）  上記（ａ）のシステムにおいて、前記フェーズロックループ回路中のロジックは、値を保持し、かつ補償値を受け取るのに操作可能なレジスタと、前記レジスタに結合され、前記レジスタに保持された値に基づいた出力を供給するのに操作可能な位相周波数検出器とを含む。
（ｊ）  上記（ａ）のシステムにおいて、前記フェーズロックループ回路中のロジックは、値を保持し、かつ補償値を受け取るのに操作可能なレジスタと、前記レジスタに結合され、出力が前記レジスタの値に基づく電圧制御発振器とを含む。
（ｋ）  上記（ａ）のシステムにおいて、前記フェーズロックループ回路中のロジックは、値を保持し、かつ補償値を受け取るのに操作可能なレジスタと、前記レジスタに結合され、分周する定量がこのレジスタの値に基づく分周器とを含む。
（ｌ）  本発明の命令の影響のためにフェーズロックループを補償する方法は、命令に基づいた補償値を決定することと、ロジックが補償値に応答する、フェーズロックループ回路中のロジックに補償値を供給することとを具備する。
（ｍ）  上記（ｌ）の方法において、カウンタで補償値を受け取ることと、補償値に基づいて前記カウンタの値を更新することと、前記カウンタの値に基づいてカウンタに結合された第１のチャージポンプから電圧を生成することとをさらに含む。
（ｎ）  上記（ｍ）の方法において、前記第１のチャージポンプはディジタルチャージポンプである。
（ｏ）  上記（ｎ）の方法において、前記カウンタで位相周波数検出器の出力を受け取ることをさらに含み、そこでは前記カウンタの値は位相周波数検出器の出力に基づく。
（ｐ）  上記（ｏ）の方法において、第２のチャージポンプで前記位相周波数検出器の出力を受け取る。
（ｑ）  上記（ｍ）の方法において、前記補償値を供給するのに操作可能なロジックは、命令を受けることと、命令に基づいたインクリメンタルな値を決定することと、前記インクリメンタルな値に基づいた前記補償値を決定することとを含む。
（ｒ）  上記（ｑ）の方法において、持続時間及びデクリメンタルな値を決定することと、デクリメンタルな値に基づいた非補償の値を決定することと、持続時間の終わりに前記非補償の値を供給することとをさらに含む。
（ｓ）  上記（ｒ）の方法において、前記カウンタの第１のカウント値を受け取ることと、前記カウンタの電流値と前記インクリメンタルな値に基づいた補償値を決定することとをさらに含む。
（ｔ）  上記（ｓ）の方法において、前記カウンタの第２のカウント値を受け取ることと、前記カウンタの第２の電流値と前記デクリメンタルな値に基づいた非補償の値を決定することとをさらに含む。
（ｕ）  上記（ｌ）のシステムにおいて、レジスタで前記補償値を受け取ることと、前記レジスタの値に基づいた出力を供給することとをさらに含み、前記レジスタの出力は位相周波数検出器によって供給される。
（ｖ）  上記（ｌ）の方法において、レジスタで前記補償値を受け取ることと、前記レジスタの値に基づいた出力を供給することとをさらに含み、前記レジスタの出力は電圧制御発振器によって供給される。
（ｗ）  上記（ｌ）の方法において、前記フェーズロックループ回路中のロジックは、レジスタで前記補償値を受け取ることと、前記レジスタの値に基づいた分周器を形成することとを含む。
（ｘ）  本発明の命令の影響のためにフェーズロックループを補償するためのシステムは、命令を受け、かつ命令に基づいた、インクリメンタルな値、デクリメンタルな値、及び持続時間を決定するのに操作可能なデコードロジックと、カウンタ中の第１の電流値を受け取り、かつ前記カウンタの第１の電流値とインクリメンタルな値に基づいた補償値を出力し、前記カウンタ中の第２の電流値を受け取り、持続時間の終わりに前記カウンタの第２の電流値とデクリメンタルな値に基づいた非補償の値を出力するのに操作可能な加算器と、値を保持し、かつ補償値及び非補償の値を受け取るのに操作可能なカウンタと、前記カウンタに結合され、その出力が前記カウンタの値に基づく第１のチャージポンプとを具備する。
なお、フェーズロックループ（ＰＬＬ）回路に対するロジックの動作の影響を弱めるためのシステム及び方法は、ＰＬＬ回路が命令の予期される影響を命令の実行前、同時、あるいは後で補償することを実質的に許してもよい。より特に、システムの命令の発行に関連したロジックは、命令に基づいたシステムでのＰＬＬに信号を供給してもよい。その後、ＰＬＬはこの制御信号に基づいた命令の予期される影響を補償するために調節されてもよい。特に、受信した制御信号にチャージポンプの出力を基づかせるように調節されてもよく、電圧制御発振器の出力が調節されてもよく、位相周波数検出器の出力が調節されてもよく、あるいは分周器の配置が調節されてもよい。
１つの実施形態では、ロジックは、発行された命令に基づいたフェーズロックループ回路に補償値を供給してもよく、補償値に応答するフェーズロックループ中のロジックは、補償値を受け取ってもよく、そしてフェーズロックループの一部分は補償値に基づいて調節されてもよい。
１つの特定の実施形態では、補償値に応答するフェーズロックループ中のロジックは、この補償値を受ける設定可能なカウンタと、その出力がカウンタの値によって決定されるチャージポンプを含んでいてもよい。
別の実施形態では、補償値を供給するロジックは命令を受けて、かつ命令に基づいたインクリメンタルな値を決定するのに操作可能なデコードロジック、及びインクリメンタルな値に基づいた補償値とカウンタ中の電流値を出力するのに操作可能な加算器を含んでもよい。
本発明の実施態様は、ノイズ、またはロジック中の電力低下、またはＰＬＬへ近接した回路によって引き起こされたジッタの傾向のないＰＬＬ回路という技術的な利点を備えてもよい。発行された命令の影響の予想によって、これらの効果を補うことができる前に、ＰＬＬの出力についての命令の実行の影響が検知される必要がないので、命令の実行によって引き起こされたロジックの動作の影響のためにＰＬＬ回路が調節するか補正するのに必要な時間が減らされてもよいし実質的に省いてもよい。
これら、そして他の発明の側面は、前述の記載及び添附図面と共に考慮された時、一層よく認識及び理解される。前述の記載、その発明及び多数の特定の詳細の様々な実施形態を述べる例証のために与えられたもので、これによって制限を受けるものではない。発明の範囲内で多くの置換、変形、追加あるいは再配置がなされてもよい。そして、本発明はそのような置換、変形、追加あるいは再配置をすべて含んでいる。